(57)【要約】【課題】  映像信号出力レベルの自動調整を可能とした装置および方法を提供する。【解決手段】  、映像信号出力端子から出力される映像信号の出力レベルを調整するレベル調整部の設定を装置内において実行する。レベル調整部における調整後の信号をフィードバック入力し、フィードバック信号に基づくレベル検出を行なって、レベル調整部における最適パラメータ設定値を決定してメモリに格納する。本構成によれば、オシロスコープを利用してレベル調整を行う必要がなく製造コストが削減される。また、電源ＯＮごと、あるいは一定期間ごとにレベル調整を行う構成によれば、季節の変化にともなう温度や湿度などの変化、あるいは経年変化に伴う各デバイスや素子の特性変化が発生した場合にも、素子の特性に応じた最適なレベル調整が可能となる。【選択図】  図２
2007049530.tif 000002
【特許請求の範囲】
【請求項１】
映像信号出力装置であり、
外部出力する映像信号の出力レベルを調整するレベル調整部と、
前記レベル調整部におけるレベル調整用の基準信号を発生するレベル調整用信号発生部と、
前記レベル調整部におけるレベル調整後の信号に基づいて生成される外部出力映像信号をフィードバック入力し、レベル検出を行なうレベル検出部と、
前記レベル検出部における検出結果に基づく前記レベル調整部の最適調整パラメータとしての設定値を格納するメモリと、
前記レベル調整用信号発生部の発生信号に基づくフィードバック信号のレベル検出による前記レベル調整部の設定値の決定およびメモリ格納処理を含む出力レベル設定シーケンスの制御を行なうマイコンと、
を有することを特徴とする映像信号出力装置。
【請求項２】
前記マイコンは、
前記出力レベル設定シーケンスの開始時点において、
前記レベル調整部に対する入力をビデオ信号処理部の出力信号から、前記レベル調整用信号発生部の出力信号に切り替えるスイッチ制御処理を実行し、
前記出力レベル設定シーケンスの終了時点において、
前記レベル調整部に対する入力を前記レベル調整用信号発生部の出力信号から、前記ビデオ信号処理部の出力信号に切り替えるスイッチ制御処理を実行する構成であることを特徴とする請求項１に記載の映像信号出力装置。
【請求項３】
前記レベル調整部におけるレベル調整後の信号に基づいて生成される外部出力映像信号のフィードバック信号は、ＡＤコンバータにおいてデジタル変換が実行され、
前記レベル検出部は、前記ＡＤコンバータにおいて変換されたデジタル信号に基づくレベル検出を行なう構成であり、
前記ＡＤコンバータは、前記映像信号出力装置において外部入力する映像信号の処理デバイスとして設定されたＡＤコンバータを適用した構成であることを特徴とする請求項１に記載の映像信号出力装置。
【請求項４】
前記映像信号出力装置は、
映像信号出力端子と映像信号入力端子を兼用した映像信号入出力端子を有し、モード設定に基づいて映像信号出力または、映像信号入力処理を実行する構成であり、
前記マイコンは、
前記出力レベル設定シーケンスの開始に際して、モードを映像信号出力モードに設定して制御を行う構成であることを特徴とする請求項１に記載の映像信号出力装置。
【請求項５】
前記レベル調整部、前記レベル調整用信号発生部、前記レベル検出部、および前記メモリは、ビデオ信号処理ＩＣ内の回路として構成され、ビデオ信号処理ＩＣ外に出力されるレベル調整信号を、ビデオ信号処理ＩＣ内にフィードバック入力して最適調整パラメータとしての設定値を決定し、前記メモリに格納する構成であることを特徴とする請求項１に記載の映像信号出力装置。
【請求項６】
前記マイコンは、
電源がオンされたことを条件として、前記出力レベル設定シーケンスを実行する制御を行なう構成であることを特徴とする請求項１に記載の映像信号出力装置。
【請求項７】
前記マイコンは、
映像信号出力装置内部の時計機能を用い、予め設定されたタイミングに前記出力レベル設定シーケンスを実行する制御を行なう構成であることを特徴とする請求項１に記載の映像信号出力装置。
【請求項８】
外部出力映像信号のレベル調整を行うレベル調整部における最適設定値を決定する出力レベル設定シーケンスを実行する映像信号処理方法であり、
前記レベル調整部におけるレベル調整用の基準信号を発生するレベル調整用信号発生ステップと、
前記レベル調整部において、前記基準信号の出力レベルを調整するレベル調整ステップと、
前記レベル調整部におけるレベル調整後の信号に基づいて生成される外部出力映像信号をフィードバック入力し、レベル検出を行なうレベル検出ステップと、
前記レベル検出ステップにおける検出結果に基づく前記レベル調整部の最適調整パラメータとしての設定値をメモリに格納する設定値メモリ格納ステップと、
を有することを特徴とする映像信号処理方法。
【請求項９】
前記映像信号処理方法は、さらに、
前記レベル調整用信号発生ステップ前に、
前記レベル調整部に対する入力をビデオ信号処理部の出力信号から、レベル調整用信号発生部の出力信号に切り替えるスイッチ制御処理を実行するステップと、
前記メモリ格納ステップ後に、
前記レベル調整部に対する入力を前記レベル調整用信号発生部の出力信号から、前記ビデオ信号処理部の出力信号に切り替えるスイッチ制御処理を実行するステップと、
を有することを特徴とする請求項８に記載の映像信号処理方法。
【請求項１０】
前記映像信号処理方法は、さらに、
電源がオンされたことを条件として、前記出力レベル設定シーケンスを実行するステップを有することを特徴とする請求項８に記載の映像信号処理方法。
【請求項１１】
前記映像信号処理方法は、さらに、
映像信号出力装置内部の時計機能を用い、予め設定されたタイミングに前記出力レベル設定シーケンスを実行するステップを有することを特徴とする請求項８に記載の映像信号処理方法。
【請求項１２】
映像信号出力装置において外部出力映像信号のレベル調整を行うレベル調整部における最適設定値を決定する出力レベル設定シーケンスを実行させるコンピュータ・プログラムであり、
前記レベル調整部におけるレベル調整用の基準信号を発生するレベル調整用信号発生ステップと、
前記レベル調整部において、前記基準信号の出力レベルを調整するレベル調整ステップと、
前記レベル調整部におけるレベル調整後の信号に基づいて生成される外部出力映像信号をフィードバック入力し、レベル検出を行なうレベル検出ステップと、
前記レベル検出ステップにおける検出結果に基づく前記レベル調整部の最適調整パラメータとしての設定値をメモリに格納する設定値メモリ格納ステップと、
を有することを特徴とするコンピュータ・プログラム。
【発明の詳細な説明】
【技術分野】
【０００１】
本発明は、映像信号出力装置、および映像信号処理方法、並びにコンピュータ・プログラムに関する。さらに詳細には、映像信号の出力レベル調整部の設定処理をフィードバック信号によって自ら実行する構成とした映像信号出力装置、および映像信号処理方法、並びにコンピュータ・プログラムに関する。
【背景技術】
【０００２】
例えばビデオカメラやビデオデッキなど、映像信号を出力する映像信号出力装置は、その装置の製造段階において映像信号の出力レベルの調整が行われる。この出力レベル調整は、例えば製造ラインに設置されたオシロスコープに、製造段階にあるビデオカメラやビデオデッキなどの映像信号出力装置の映像出力端子を１台１台接続し、映像出力端子の出力信号を入力して出力波形を各装置毎に観測して調整を行うのが一般的である。
【０００３】
一般的な映像信号出力装置の構成、および出力レベル調整処理構成について、図１を参照して説明する。映像信号出力装置１０は、例えばビデオカメラやビデオデッキなどの映像信号出力装置１０である。
【０００４】
映像信号出力装置１０は、映像信号処理ＩＣ２０を内蔵し、基本的な映像信号処理は映像信号処理ＩＣ２０内部にて実行される。映像信号処理ＩＣ２０は、映像信号出力装置１０内から外部出力する映像信号の処理、例えばＭＰＥＧデコードなどの映像信号処理を実行するビデオ信号処理部２１、出力信号の切り替えを行なうスイッチ２２、外部出力信号のレベル調整処理を行なうレベル調整部２３、レベル調整部２３におけるレベル調整のための設定値を格納するメモリ２４、レベル調整部２３においてレベルの調整された映像信号のデジタルアナログ変換を実行するＤＡコンバータ（ＤＡＣ）２５を有し、さらに、レベル調整用の基準信号を発生するレベル調整用信号発生部２６を有する。
【０００５】
映像信号処理ＩＣ２０のＤＡコンバータ（ＤＡＣ）２５の出力は、映像信号処理ＩＣ２０の外部に設けられた増幅器としてのビデオアンプ１１に入力されて増幅された後、７５オームの出力インピーダンスをもって映像信号出力端子１２を介して出力される。この出力信号は、例えばＮＴＳＣ信号の白１００％信号では、７５オームで終端した後、１Ｖｐｐのレベルであることが規定される。
【０００６】
映像信号出力装置１０にはマイコン１３が設けられ、出力レベル調整処理を行なう際は、オペレータが、マイコン１３に対して各種のコマンドを入力して処理を行なう。具体的には、まず、オペレータは、映像信号出力装置１０の映像信号出力端子１２に波形測定用のオシロスコープ３０を接続する。
【０００７】
次に、映像信号出力装置１０にはマイコン１３に対して、スイッチ２２の切り替えコマンドを入力し、スイッチ２２をレベル調整用信号発生部２６側に設定する。レベル調整用信号発生部２６は、レベル調整用の基準信号を発生する。この設定において、オペレータは、映像信号出力装置１０から出力される映像信号波形をオシロスコープ３０で観測する。
【０００８】
オシロスコープ３０には、レベル調整用信号発生部２６の発生するレベル調整用の基準信号に基づく波形が観測されることになる。オペレータは、オシロスコープ３０において計測される波形が、予め定められた規定の出力波形になるように、マイコン１３を介してレベル調整部２３にレベル調整信号を出力し、目標の波形にするためのレベル調整部２３におけるレベル調整に必要なパラメータ設定値を決定し、この設定値をメモリ２４に格納する。これらの調整が終了すると、スイッチ２２をレベル調整用信号発生部２６側から、ビデオ信号処理部２１側に変更して処理を終了する。
【０００９】
この処理によって、ビデオ信号処理部２１からスイッチ２２を介してレベル調整部２３に入力される映像信号は、メモリ２４に格納された設定値に基づくレベル制御がなされ、最適な出力レベルでの出力が可能となる。前述したように、映像信号出力装置１０からの出力端子１２を介した出力は、７５オームの出力インピーダンスをもって出力される。この出力信号は、例えばＮＴＳＣ信号の白１００％信号では、７５オームで終端した後、１Ｖｐｐのレベルであることが規定されており、これらの規定に基づく出力調整が行われることになる。
【００１０】
このような出力レベルの調整処理が必要な理由は、映像信号処理を実行するデバイスに特性のばらつきがあるためである。例えば、映像信号処理ＩＣ２０内において用いられるＤＡコンバータ２５は、その特性として個体間において概ね２ｄｂ程度のばらつきを持つ。また、ビデオアンプ１１も、各個体間のばらつきとして約１ｄｂのばらつきがある。さらに、７５オーム抵抗にも個体間において特性のばらつきがある。これらのばらつきを０にすることはほぼ不可能であり、このため１台ごとの出力調整が不可欠となっている。しかし、このような調整処理の必要性は、生産時間、生産コストの増大という問題点を発生させている。
【発明の開示】
【発明が解決しようとする課題】
【００１１】
本発明は、上述の問題点に鑑みてなされたものであり、映像信号の出力レベル調整部の設定処理をフィードバック信号によって自ら実行する構成とすることで、生産ラインにおける出力調整処理の省略を可能とした映像信号出力装置、および映像信号処理方法、並びにコンピュータ・プログラムを提供することを目的とする。
【課題を解決するための手段】
【００１２】
本発明の第１の側面は、
映像信号出力装置であり、
外部出力する映像信号の出力レベルを調整するレベル調整部と、
前記レベル調整部におけるレベル調整用の基準信号を発生するレベル調整用信号発生部と、
前記レベル調整部におけるレベル調整後の信号に基づいて生成される外部出力映像信号をフィードバック入力し、レベル検出を行なうレベル検出部と、
前記レベル検出部における検出結果に基づく前記レベル調整部の最適調整パラメータとしての設定値を格納するメモリと、
前記レベル調整用信号発生部の発生信号に基づくフィードバック信号のレベル検出による前記レベル調整部の設定値の決定およびメモリ格納処理を含む出力レベル設定シーケンスの制御を行なうマイコンと、
を有することを特徴とする映像信号出力装置にある。
【００１３】
さらに、本発明の映像信号出力装置の一実施態様において、前記マイコンは、前記出力レベル設定シーケンスの開始時点において、前記レベル調整部に対する入力をビデオ信号処理部の出力信号から、前記レベル調整用信号発生部の出力信号に切り替えるスイッチ制御処理を実行し、前記出力レベル設定シーケンスの終了時点において、前記レベル調整部に対する入力を前記レベル調整用信号発生部の出力信号から、前記ビデオ信号処理部の出力信号に切り替えるスイッチ制御処理を実行する構成であることを特徴とする。
【００１４】
さらに、本発明の映像信号出力装置の一実施態様において、前記レベル調整部におけるレベル調整後の信号に基づいて生成される外部出力映像信号のフィードバック信号は、ＡＤコンバータにおいてデジタル変換が実行され、前記レベル検出部は、前記ＡＤコンバータにおいて変換されたデジタル信号に基づくレベル検出を行なう構成であり、前記ＡＤコンバータは、前記映像信号出力装置において外部入力する映像信号の処理デバイスとして設定されたＡＤコンバータを適用した構成であることを特徴とする。
【００１５】
さらに、本発明の映像信号出力装置の一実施態様において、前記映像信号出力装置は、映像信号出力端子と映像信号入力端子を兼用した映像信号入出力端子を有し、モード設定に基づいて映像信号出力または、映像信号入力処理を実行する構成であり、前記マイコンは、前記出力レベル設定シーケンスの開始に際して、モードを映像信号出力モードに設定して制御を行う構成であることを特徴とする。
【００１６】
さらに、本発明の映像信号出力装置の一実施態様において、前記レベル調整部、前記レベル調整用信号発生部、前記レベル検出部、および前記メモリは、ビデオ信号処理ＩＣ内の回路として構成され、ビデオ信号処理ＩＣ外に出力されるレベル調整信号を、ビデオ信号処理ＩＣ内にフィードバック入力して最適調整パラメータとしての設定値を決定し、前記メモリに格納する構成であることを特徴とする。
【００１７】
さらに、本発明の映像信号出力装置の一実施態様において、前記マイコンは、電源がオンされたことを条件として、前記出力レベル設定シーケンスを実行する制御を行なう構成であることを特徴とする。
【００１８】
さらに、本発明の映像信号出力装置の一実施態様において、前記マイコンは、映像信号出力装置内部の時計機能を用い、予め設定されたタイミングに前記出力レベル設定シーケンスを実行する制御を行なう構成であることを特徴とする。
【００１９】
さらに、本発明の第２の側面は、
外部出力映像信号のレベル調整を行うレベル調整部における最適設定値を決定する出力レベル設定シーケンスを実行する映像信号処理方法であり、
前記レベル調整部におけるレベル調整用の基準信号を発生するレベル調整用信号発生ステップと、
前記レベル調整部において、前記基準信号の出力レベルを調整するレベル調整ステップと、
前記レベル調整部におけるレベル調整後の信号に基づいて生成される外部出力映像信号をフィードバック入力し、レベル検出を行なうレベル検出ステップと、
前記レベル検出ステップにおける検出結果に基づく前記レベル調整部の最適調整パラメータとしての設定値をメモリに格納する設定値メモリ格納ステップと、
を有することを特徴とする映像信号処理方法にある。
【００２０】
さらに、本発明の映像信号処理方法の一実施態様において、前記映像信号処理方法は、さらに、前記レベル調整用信号発生ステップ前に、前記レベル調整部に対する入力をビデオ信号処理部の出力信号から、レベル調整用信号発生部の出力信号に切り替えるスイッチ制御処理を実行するステップと、前記メモリ格納ステップ後に、前記レベル調整部に対する入力を前記レベル調整用信号発生部の出力信号から、前記ビデオ信号処理部の出力信号に切り替えるスイッチ制御処理を実行するステップと、を有することを特徴とする。
【００２１】
さらに、本発明の映像信号処理方法の一実施態様において、前記映像信号処理方法は、さらに、電源がオンされたことを条件として、前記出力レベル設定シーケンスを実行するステップを有することを特徴とする。
【００２２】
さらに、本発明の映像信号処理方法の一実施態様において、前記映像信号処理方法は、さらに、映像信号出力装置内部の時計機能を用い、予め設定されたタイミングに前記出力レベル設定シーケンスを実行するステップを有することを特徴とする。
【００２３】
さらに、本発明の第３の側面は、
映像信号出力装置において外部出力映像信号のレベル調整を行うレベル調整部における最適設定値を決定する出力レベル設定シーケンスを実行させるコンピュータ・プログラムであり、
前記レベル調整部におけるレベル調整用の基準信号を発生するレベル調整用信号発生ステップと、
前記レベル調整部において、前記基準信号の出力レベルを調整するレベル調整ステップと、
前記レベル調整部におけるレベル調整後の信号に基づいて生成される外部出力映像信号をフィードバック入力し、レベル検出を行なうレベル検出ステップと、
前記レベル検出ステップにおける検出結果に基づく前記レベル調整部の最適調整パラメータとしての設定値をメモリに格納する設定値メモリ格納ステップと、
を有することを特徴とするコンピュータ・プログラムにある。
【００２４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２５】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２６】
本発明の一実施例構成によれば、映像信号出力端子から出力される映像信号の出力レベルを調整するレベル調整部の設定調整を装置内において実行する。すなわち、レベル調整部における調整後の信号をフィードバック入力し、フィードバック信号に基づくレベル検出を行なって、レベル調整部における最適パラメータとしての設定値を決定してメモリに格納する。本構成によれば、オシロスコープに装置１台１台の出力を入力して確認し、レベル調整を行う必要がなく製造コストが削減される。また、電源ＯＮごと、あるいは一定期間ごとにレベル調整を行う構成によれば、季節の変化にともなう温度や湿度などの変化、あるいは経年変化に伴う各デバイスや素子の特性変化が発生した場合にも、素子の特性に応じた最適なレベル調整が可能となる。
【発明を実施するための最良の形態】
【００２７】
以下、図面を参照しながら、本発明の映像信号出力装置、および映像信号処理方法、並びにコンピュータ・プログラムの詳細について説明する。
【００２８】
図２を参照して本発明の映像信号出力装置の構成、および本発明の映像信号出力装置における出力レベル調整処理構成について説明する。映像信号出力装置１００は、例えばビデオカメラやビデオデッキなどの映像信号出力装置１００である。
【００２９】
映像信号出力装置１００は、映像信号処理ＩＣ１２０を内蔵し、基本的な映像信号処理は映像信号処理ＩＣ１２０内部において実行される。映像信号処理ＩＣ１２０は、映像信号出力装置１００内から外部出力する映像信号の処理、例えばＭＰＥＧデコードなどの映像信号処理を実行するビデオ信号処理部１２１、出力信号の切り替えを行なうスイッチ１２２、外部出力信号のレベル調整処理を行なうレベル調整部１２３、レベル調整部１２３におけるレベル調整のための設定値を格納するメモリ１２４、レベル調整部１２３においてレベルの調整された映像信号のデジタルアナログ変換を実行するＤＡコンバータ（ＤＡＣ）１２５、レベル調整用の基準信号を発生するレベル調整用信号発生部１２８を有する。
【００３０】
映像信号処理ＩＣ１２０のＤＡコンバータ（ＤＡＣ）１２５の出力は、映像信号処理ＩＣ１２０の外部に設けられた増幅器としてのビデオアンプ１１１に入力されて増幅された後、映像信号出力端子１１２を介して出力される。映像信号出力装置１００からの出力端子１１２を介した出力は、７５オームの出力インピーダンスをもって出力される。この出力信号は、例えばＮＴＳＣ信号の白１００％信号では、７５オームで終端した後、１Ｖｐｐのレベルであることが規定されている。
【００３１】
これらの基本構成は、先に図１を参照して説明した構成と同様の構成である。さらに、図２に示す本発明の映像信号出力装置１００は、ビデオアンプ１１１から、映像信号出力端子１１２に供給される出力信号を映像信号処理ＩＣにフィードバックするフィードバック信号線１１３が設けられている。
【００３２】
出力映像信号は、フィードバック信号線１１３から映像信号処理ＩＣ１２０に入力され、ＡＤコンバータ１２６においてデジタル変換がなされた後、レベル検出部１２７においてレベル検出がなされる構成となっている。
【００３３】
本発明の映像信号出力装置１００における出力レベル調整処理について説明する。本発明の映像信号出力装置１００においてレベル調整部１２３の設定処理を実行する際、オペレータまたはユーザが、出力レベル調整開始コマンドをマイコン１１４に対して入力する。映像信号出力装置１００には、出力レベル調整開始コマンドをマイコン１１４に対して入力する入力部が設けられ、オペレータまたはユーザが、入力部を介して出力レベル調整開始コマンドをマイコン１１４に対して入力する。
【００３４】
マイコン１１４は、出力レベル調整開始コマンドを入力すると、出力レベル調整のための制御信号を映像信号処理ＩＤの各構成部に出力する。まず、スイッチ１２２に対してスイッチ切り替え信号を出力し、スイッチ１２２をレベル調整用信号発生部１２８側に設定し、レベル調整用信号発生部１２８に、レベル調整用の基準信号を発生させる。
【００３５】
レベル調整用信号発生部１２８は、さらに、レベル検出部１２７に対して、レベル調整用信号発生部１２８の発生する信号に応じたレベル測定タイミング信号を出力する。すなわち、フィードバック信号線１１３を介してフィードバックされる映像信号のどのタイミングの信号レベルを検出するかのタイミングを通知する。具体的には、レベル調整用信号発生部１２８において発生された基準信号に基づくフィードバック信号のレベルを、レベル検出部において検出されるように検出タイミングを通知する。
【００３６】
レベル検出部１２７は、レベル調整用信号発生部１２８において発生された基準信号に基づくフィードバック信号のレベルを検出し、予め定めた基準に従って、レベル調整部１２３の設定を調整する。例えばＮＴＳＣ信号の白１００％信号において１Ｖｐｐのレベルといった基準を適用して、フィードバック信号に基づくレベル調整を実行し、レベル調整部１２３におけるレベル調整に必要なパラメータ設定値を決定し、この設定値をメモリ１２４に格納する。
【００３７】
調整処理開始から所定時間経過後、調整が終了すると、マイコン１１４は、スイッチ切り替え信号を再度、スイッチ１２２に入力して、スイッチ１２２をレベル調整用信号発生部１２８側から、ビデオ信号処理部１２１側に変更して処理を終了する。
【００３８】
このフィードバック信号を利用したレベル調整処理によって、ビデオ信号処理部１２１からスイッチ１２２を介してレベル調整部１２３に入力される映像信号は、メモリ１２４に格納された設定値に基づくレベル制御がなされ、最適な出力レベルでの出力が可能となる。
【００３９】
なお、上述した実施例では、レベル調整処理の実行時に、ユーザまたはオペレータが、入力部を介してマイコン１１４にレベル調整開始コマンドを入力する構成例として説明したが、例えば、映像信号出力装置１００の電源スイッチに連動させて、マイコン１１４がレベル調整開始する構成としてもよい。
【００４０】
すなわち、映像信号出力装置１００の電源スイッチをＯＮにしたことをトリガとして、マイコン１１４が上述した一連のレベル調整部の設定処理を実行し、そのレベル調整処理におけるレベル調整パラメータ設定値をメモリ１２４に格納する。このような構成とすることで、ユーザやオペレータの介在なしに、レベル調整部の設定を実行することが可能となる。
【００４１】
あるいは映像信号出力装置１００内部の時計機能を用い、所定の期間ごと、例えば１ヶ月あるいは半年ごとなど、一定期間毎のタイミングにマイコン１１４がレベル調整部の設定処理を開始する構成としてもよい。
【００４２】
このように電源ＯＮごと、あるいは一定期間ごとにレベル調整部の設定処理を実行して、新たなレベル調整パラメータ設定値をメモリ１２４に格納する構成とすることで、例えば、使用環境の変化、例えば季節の変化にともなう温度や湿度などの変化、あるいは経年変化に伴う各デバイスや素子の特性変化が発生した場合にも、素子の特性に応じた最適なレベル調整パラメータの設定を行うことが可能となり、最適なレベル制御が可能となり、信号処理回路の構成回路の持つ現時点の特性に対応した最適な制御が実現される。
【００４３】
次に、図３を参照して本発明の第２実施例に係る映像信号出力装置の構成、および出力レベル調整処理について説明する。映像信号出力装置２００は、前述の実施例と同様、例えばビデオカメラやビデオデッキなどの映像信号出力装置２００である。
【００４４】
本実施例は、映像出力端子と映像入力端子を兼用した映像入出力端子３０１を有する。映像入出力端子３０１を介した映像信号出力を実行する際には、ビデオアンプ２１１と映像入出力端子３０１間に設けられたスイッチ３０２が開状態に設定され、映像入出力端子３０１を介した映像信号入力を行なう際には、スイッチ３０２が閉状態に設定される。映像信号処理ＩＣ２２０内には、外部から入力するビデオ信号の処理を実行するビデオ信号処理部３０３が設けられている。基本的な映像信号処理は映像信号処理ＩＣ２２０内部において実行される。映像信号処理ＩＣ２２０は、外部出力する映像信号の処理と、外部から入力する映像信号の処理も実行する。
【００４５】
外部出力する映像信号の処理は、先の実施例と同様であり、例えばＭＰＥＧデコードなどの映像信号処理を実行するビデオ信号処理部２２１からの出力は、スイッチ２２２、外部出力信号のレベル調整処理を行なうレベル調整部２２３、映像信号のデジタルアナログ変換を実行するＤＡコンバータ（ＤＡＣ）２２５、映像信号処理ＩＣ２２０の外部に設けられた増幅器としてのビデオアンプ２１１を介して、７５オームの出力インピーダンスをもって映像入出力端子３０１を介して出力される。この映像信号出力の際には、ビデオアンプ２１１と映像入出力端子３０１間に設けられたスイッチ３０２が開状態に設定される。
【００４６】
一方、外部から映像信号の入力を行なう場合は、ビデオアンプ２１１と映像入出力端子３０１間に設けられたスイッチ３０２が閉状態に設定され、映像入出力端子３０１から入力する映像信号は、信号線２１３を介して映像信号処理ＩＣ２２０に入力される。信号線２１３は出力レベル調整部２２３の設定処理の際にはフィードバック信号線として利用される。
【００４７】
信号線２１３から映像信号処理ＩＣ２２０に入力された外部からの入力映像信号は、ＡＤコンバータ２２６においてデジタル変換がなされた後、レベル検出部２２７を介してビデオ信号処理部（入力）２２１に入力されて、エンコード処理などの信号処理が実行され、例えば、図示しない記憶手段に格納される。
【００４８】
本実施例の映像信号出力装置２００における出力レベル調整処理について説明する。本発明の映像信号出力装置２００において出力レベル調整処理を実行する際、オペレータまたはユーザが、出力レベル調整開始コマンドをマイコン２１４に対して入力する。映像信号出力装置２００には、出力レベル調整開始コマンドをマイコン２１４に対して入力する入力部が設けられ、オペレータまたはユーザが、入力部を介して出力レベル調整開始コマンドをマイコン２１４に対して入力する。
【００４９】
マイコン２１４は、出力レベル調整開始コマンドを入力すると、出力レベル調整のための制御信号を映像信号処理ＩＤの各構成部に出力する。まず、スイッチ２２２に対してスイッチ切り替え信号を出力し、スイッチ２２２をレベル調整用信号発生部２２８側に設定する。さらに、ビデオアンプ２１１と映像入出力端子３０１間のスイッチ３０２を開状態に設定し、レベル調整用信号発生部２２８に、レベル調整用の基準信号を発生させる。
【００５０】
本実施例では、映像信号出力端子と映像信号入力端子を兼用した映像信号入出力端子３０１を有する構成であり、スイッチ３０２の切り替えによるモード設定に基づいて映像信号出力または、映像信号入力処理を実行する構成であるので、マイコン２１４は、出力レベル設定シーケンスの開始に際して、モードを映像信号出力モードに設定、すなわち、ビデオアンプ２１１と映像入出力端子３０１間のスイッチ３０２を開状態に設定した後、制御を開始する。
【００５１】
レベル調整用信号発生部２２８は、さらに、レベル検出部２２７に対して、レベル調整用信号発生部２２８の発生する信号に応じたレベル測定タイミング信号を出力する。すなわち、信号線２１３を介してフィードバックされる映像信号のどのタイミングの信号レベルを検出するかのタイミングを通知する。具体的には、レベル調整用信号発生部２２８において発生された基準信号に基づくフィードバック信号のレベルを、レベル検出部において検出されるように検出タイミングを通知する。
【００５２】
レベル検出部２２７は、レベル調整用信号発生部２２８において発生された基準信号に基づくフィードバック信号のレベルを検出し、予め定めた基準に従って、レベル調整部２２３の設定を調整する。例えばＮＴＳＣ信号の白１００％信号において１Ｖｐｐのレベルといった基準を適用して、フィードバック信号に基づくレベル調整を実行し、レベル調整部２２３におけるレベル調整に必要なパラメータ設定値を決定し、この設定値をメモリ２２４に格納する。
【００５３】
調整処理開始から所定時間経過後、調整が終了すると、マイコン２１４は、スイッチ切り替え信号を再度、スイッチ２２２に入力して、スイッチ２２２をレベル調整用信号発生部２２８側から、ビデオ信号処理部２２１側に変更して処理を終了する。
【００５４】
このフィードバック信号を利用したレベル調整処理によって、ビデオ信号処理部２２１からスイッチ２２２を介してレベル調整部２２３に入力される映像信号は、メモリ２２４に格納された設定値に基づくレベル制御がなされ、最適な出力レベルでの出力が可能となる。
【００５５】
本実施例では、外部から入力する映像信号の処理デバイスとして映像信号処理ＩＣ２２０に設定されているＡＤコンバータ２２６、レベル検出部２２７を、外部出力映像素信号のレベル調整用のデバイスとして利用した構成としたので、新たな素子の追加が不要であり、コストを高めることなく、出力レベルのフィードバック調整が可能となる。
【００５６】
なお、上述した実施例においても、先の実施例において、説明したと同様、レベル調整処理の実行時に、ユーザまたはオペレータが、入力部を介してマイコン２１４にレベル調整開始コマンドを入力する構成例として説明したが、例えば、映像信号出力装置２００の電源スイッチに連動させて、マイコン２１４がレベル調整を開始する構成としたり、映像信号出力装置２００内部の時計機能を用い、所定の期間ごと、例えば１ヶ月あるいは半年ごとなど、一定期間毎のタイミングにマイコン２１４がレベル調整部の設定処理を開始する構成としてもよい。
【００５７】
このように電源ＯＮごと、あるいは一定期間ごとにレベル調整部の設定処理を実行して、新たなレベル調整パラメータ設定値をメモリ１２４に格納する構成とすることで、例えば、使用環境の変化、例えば季節の変化にともなう温度や湿度などの変化、あるいは経年変化に伴う各デバイスや素子の特性変化が発生した場合にも、素子の特性に応じた最適なレベル調整パラメータの設定を行うことが可能となり、最適なレベル制御が可能となり、信号処理回路の構成回路の持つ現時点の特性に対応した最適な制御が実現される。
【００５８】
次に、図４に示すフローチャートを参照して、本発明の映像信号出力装置における映像信号出力レベルの調整処理の基本的な処理シーケンスについて説明する。この処理は、マイコンによって実行されるプログラムに従って実行される処理である。まず、ステップＳ１０１において、スイッチを切り替え、レベル調整用信号の出力設定とする。この処理は、例えば図２におけるスイッチ１２２の切り替え処理である。
【００５９】
次に、ステップＳ１０２において、レベル調整用信号を出力する。これは、図２に示す構成では、レベル調整用信号発生部１２８からの信号出力処理である。次にステップＳ１０３において、レベル調整用信号に基づく出力信号をフィードバックし、レベル検出を実行する。これは、図２に示す構成では、レベル検出部１２７におけるフィードバック信号の検出処理に相当する。
【００６０】
次に、ステップＳ１０４において、レベル検出結果に基づき、レベル調整部の調整を実行し、調整用パラメータ設定値を決定する。この処理は、レベル検出部１２７における検出結果に基づいて。レベル調整部１２３の調整用パラメータ設定値を決定する処理である。ステップＳ１０５において、決定した調整用パラメータ設定値をメモリに格納する。図２に示すメモリ１２４に格納する。
【００６１】
最後に、ステップＳ１０６において、スイッチを切り替え、ビデオ信号処理部からの出力設定とする。すなわち、スイッチ１２２をビデオ信号処理部１２１側に切り替える処理を行なう。以上の処理によって出力レベル調整処理が終了する。なお、図３の構成においても、ほぼ同様の処理シーケンスによって出力レベル調整が実行される。
【００６２】
このように、本発明の映像信号出力装置は、映像信号出力端子から出力される映像信号の出力レベルを、装置内において自動調整する構成としたので、オシロスコープに装置１台１台の出力を入力して確認し、レベル調整を行う必要がなく、調整処理の削減により製造コストが削減される。また、前述したように、電源ＯＮごと、あるいは一定期間ごとにレベル調整を行うことが可能であり、季節の変化にともなう温度や湿度などの変化、あるいは経年変化に伴う各デバイスや素子の特性変化が発生した場合にも、素子の特性に応じた最適なレベル調整パラメータの設定による最適なレベル制御が可能となる。
【００６３】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００６４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００６５】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００６６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００６７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００６８】
以上、説明したように、本発明の一実施例の構成によれば、映像信号出力端子から出力される映像信号の出力レベルを調整するレベル調整部の設定調整を装置内において実行する。すなわち、レベル調整部における調整後の信号をフィードバック入力し、フィードバック信号に基づくレベル検出を行なって、レベル調整部における最適パラメータとしての設定値を決定してメモリに格納する。本構成によれば、オシロスコープに装置１台１台の出力を入力して確認し、レベル調整を行う必要がなく製造コストが削減される。また、電源ＯＮごと、あるいは一定期間ごとにレベル調整を行う構成によれば、季節の変化にともなう温度や湿度などの変化、あるいは経年変化に伴う各デバイスや素子の特性変化が発生した場合にも、素子の特性に応じた最適なレベル調整が可能となる。
【図面の簡単な説明】
【００６９】
【図１】一般的な映像信号出力装置の構成および出力レベル調整処理について説明する図である。
【図２】本発明の一実施例に係る映像信号出力装置の構成および出力レベル調整処理について説明する図である。
【図３】本発明の一実施例に係る映像信号出力装置の構成および出力レベル調整処理について説明する図である。
【図４】本発明の一実施例に係る映像信号出力装置の出力レベル調整処理シーケンスについて説明するフローチャートを示す図である。
【符号の説明】
【００７０】
１０  映像信号出力装置
１１  ビデオアンプ
１２  映像信号出力端子
１３  マイコン
２０  映像信号処理ＩＣ
２１  ビデオ信号処理部
２２  スイッチ
２３  レベル調整部
２４  メモリ
２５  ＤＡコンバータ（ＤＡＣ）
２６  レベル調整用信号発生部
３０  オシロスコープ
１００  映像信号出力装置
１１１  ビデオアンプ
１１２  映像信号出力端子
１１３  フィードバック信号線
１１４  マイコン
１２０  映像信号処理ＩＣ
１２１  ビデオ信号処理部
１２２  スイッチ
１２３  レベル調整部
１２４  メモリ
１２５  ＤＡコンバータ（ＤＡＣ）
１２６  ＡＤコンバータ
１２７  レベル検出部
１２８  レベル調整用信号発生部
２００  映像信号出力装置
２１１  ビデオアンプ
２１２  映像信号出力端子
２１３  フィードバック信号線
２１４  マイコン
２２０  映像信号処理ＩＣ
２２１  ビデオ信号処理部
２２２  スイッチ
２２３  レベル調整部
２２４  メモリ
２２５  ＤＡコンバータ（ＤＡＣ）
２２６  ＡＤコンバータ
２２７  レベル検出部
２２８  レベル調整用信号発生部
３０１  映像信号入出力端子
３０２  スイッチ
３０３  ビデオ信号処理部（入力）
【図１】
2007049530.tif 000003
【図２】
2007049530.tif 000004
【図３】
2007049530.tif 000005
【図４】
2007049530.tif 000006